(57)【要約】【課題】床面の歩行や衝撃により、床暖房パネル内の結線ボックス中でコネクターが移動したり、跳び上がって落ちても底面との間で不快な衝撃音の発生を防ぐことができる優れた床暖房パネルを提供する。【解決手段】コネクター部３と該コネクター部３を収める結線ボックス２および該コネクター部３から通電される面状発熱体６とを含んでなり、上記結線ボックス２は面状発熱体６とは隣接するが分離して設置された床暖房パネルＰであって、上記結線ボックス２内において上記コネクター部３は難燃性緩衝材１を介在して設けられ、制音性が向上してなる床暖房パネルＰ。【選択図】図３
2010255917.tif 000002
【特許請求の範囲】
【請求項１】
コネクター部と該コネクター部を収める結線ボックスおよび該コネクター部から通電される面状発熱体とを含んでなり、上記結線ボックスは面状発熱体とは隣接するが分離して設置された床暖房パネルであって、上記結線ボックス内において上記コネクター部は難燃性緩衝材を介在して設けられ、制音性が向上してなる床暖房パネル。
【請求項２】
上記コネクター部の底面に難燃性緩衝材を貼着してなる請求項１に記載の床暖房パネル。
【請求項３】
上記結線ボックスの底面板に難燃性緩衝材を貼着してなる請求項１に記載の床暖房パネル。
【発明の詳細な説明】
【技術分野】
【０００１】
本願発明は床暖房パネルに関し、さらに詳しくは、マンションや戸建住宅等、一般住宅の床下地に施工される床暖房パネルの構造に関するものである。
【背景技術】
【０００２】
近年、快適な居住性への志向が高まる中で、一般住宅のリビングルームやトイレルーム等を暖房する方法として、床面に面状ヒーター等の発熱体を埋設して床全体を発熱させる床暖房が普及しつつある。このような床暖房については、種々の技術が開発されており、電熱ヒーターをパネルユニットに組み込んで加熱する電熱方式のものがある。
【０００３】
上記床暖房パネルの公知例としては、特開２００５−２３２９０４号公報に記載の防音床暖房パネルがあげられる。上記防音床暖房パネルは、面状発熱体の裏面の端部近傍に延設された二つの防音床暖房パネルの電極による凸出部を有する床暖房パネルと、軟質発泡体からなる防音マットとを積層するとともに、上記凸出部に当接する軟質発泡体上の部位を区画するように予め切り込みを入れ、該部位が上記凸出部によって圧縮されてその収容部を形成するように一体化してなるものであり、位置ズレすることなく防音マットをトムソン型で打ち抜け、床暖房パネルの裏面の凸出部が安定して収容される防音床暖房パネルを提供できると、その効果が記載されている。
【先行技術文献】
【特許文献】
【０００４】
【特許文献１】特開平２００５−２３２９０４号公報
【発明の概要】
【発明が解決しようとする課題】
【０００５】
通常、床暖房パネルは、電源線からコネクターに給電され、さらに、内部結線を経由して流れる電流によって発熱する。また、このコネクターやその他の安全装置等は、結線ボックスに収納されているが、この結線ボックスは、通常、金属製であり、面状発熱体の端部に凹部を設けて面状発熱体とは隣接するが分離して設置される。
【０００６】
上記コネクターは、コネクター端子と面状発熱体との結線作業や、メンテナンス時に取り出すことがあるため、一般的には、上記結線ボックス内において、固定せずにフリーの状態で置かれている。しかしながら、床暖房パネルが施工されたフローリング上を歩いたり、床面に衝撃等を与えると結線ボックスが揺れ、コネクターが金属製の結線ボックスの底面等、内壁にぶつかって音鳴りがし、使用者に不快感を与えるという問題がある。
【０００７】
一方、上記特許文献１に記載の技術は、マンションの階下の住居に対する防音等を目的としたものであり、上記した結線ボックス内における衝撃音の防音に対しては、必ずしも有効なものとはいえない。
【０００８】
本願発明は、上記背景技術に鑑みてなしたものであり、その目的は、結線ボックス内に配設されているコネクターが歩行や衝撃により移動しても、不快な衝撃音等の発生を防ぐことができ、かつ、簡単にメンテナンンスを行える床暖房パネルを提供することである。
【課題を解決するための手段】
【０００９】
上記課題を解決するために、本願請求項１に記載の発明に係る床暖房パネルは、コネクター部と該コネクター部を収める結線ボックスおよび該コネクター部から通電される面状発熱体とを含んでなり、上記結線ボックスは面状発熱体とは隣接するが分離して設置された床暖房パネルであって、上記結線ボックス内において上記コネクター部は難燃性緩衝材を介在して設けられ、制音性が向上してなるものである。
【００１０】
また、本願請求項２に記載の発明においては、上記請求項１に記載の床暖房パネルにおいて、上記コネクター部の底面に難燃性緩衝材を貼着してなることを特徴としている。
【００１１】
また、本願請求項３に記載の発明においては、上記請求項１に記載の床暖房パネルにおいて、上記結線ボックスの底面板に難燃性緩衝材を貼着してなることを特徴としている。
【発明の効果】
【００１２】
本願請求項１記載の発明に係る床暖房パネルにおいては、面状発熱体は、隣接するが分離して設置された結線ボックスに収められたコネクター部から通電されて発熱し、床暖房するが、上記結線ボックス内で固定されていないフリーの状態のコネクター部は難燃性緩衝材を介在して設けられているため、該コネクター部底面と結線ボックスとは相対的移動をしにくく、床上を歩行するときや、物を落として衝撃を与えたとき、例えば、跳ね上がって、落ちても介在する難燃性緩衝材がクッション性を発揮し、結線ボックスの底板との接触により、金属的な衝撃音が発生することを防ぐ。
【００１３】
また、本願請求項２記載の発明の床暖房パネルにおいては、特に、上記コネクター部の底面に難燃性緩衝材を貼着してなるため、難燃性緩衝材を結線ボックスの底面の略全域に敷設する場合に比較して難燃性緩衝材の使用量が少なくてすみ、しかも例えコネクター部が結線ボックス内で相対移動しても当該両者間には常に難燃性緩衝材が介在するので、コネクター部の移動や結線ボックス内面との衝突などに伴う不愉快な音を抑制することができる。
【００１４】
また、本願請求項３記載の発明の床暖房パネルにおいては、特に、上記結線ボックスの底面板全体に難燃性緩衝材を貼着してなるため、コネクター部の収まり位置の自由度が高く、コネクター部が随所に移動しても効率的に制音効果を発揮させることができる。しかも、コネクター部を結線ボックスから取り出して結線作業を行うとき、難燃性緩衝材は結線ボックス内に残留することになるから、該結線作業が容易となる。
【図面の簡単な説明】
【００１５】
【図１】本願発明に係る床暖房パネルを示す部分破断斜視図。
【図２】図１におけるＸ−Ｘ線に沿う断面を示し、本願発明の第１実施形態に係る床暖房パネルの構造を示す縦断面図。
【図３】図１におけるＸ−Ｘ線に沿う断面を示し、本願発明の第２実施形態に係る床暖房パネルの構造を示す縦断面図。
【図４】フローリングされた床暖房パネルを示す外観斜視図。
【発明を実施するための形態】
【００１６】
以下、本願発明に係る床暖房パネルの実施形態について図面を参照して詳細に説明する。図１は、本願発明に係る床暖房パネルＰを示す部分破断斜視図である。図１において、上記床暖房パネルＰは、３枚の面状発熱体６から構成されるとともに、枠体７によって区画され、断熱材が充填された３個の区画部位に、上記面状発熱体６が断熱材に埋設されるように配置されている。上記枠体７は、硬質塩化ビニル樹脂等の硬質材料からなる基板８の上に一体化して設けられている。
【００１７】
上記面状発熱体６は、面状ヒーター、コード状ヒーター等電気抵抗体によって発熱し、加熱するもの、あるいは、面状発熱体６のそれ自身が有する抵抗で発熱するＰＴＣ特性を有する発熱シート等が用いられる。
【００１８】
金属製の結線ボックス２は、面状発熱体６の端部に隣接して設けられた凹部に設けられ、この結線ボックス２内には、コネクター部やホルダー等が収納されている。このように配設された面状発熱体６へは、結線ボックス２内のコネクター部やホルダー等を経由して給電され、発熱する。
【００１９】
上記床暖房パネルＰの上面は、床材９、例えば木目模様がデザインされ、意匠性に優れた化粧合板等でフローリングされ、床暖房が行われる。また、上記床暖房パネルＰは、その複数枚が通常、各種の断熱体、例えば、軟質発泡ウレタン、軟質発泡ＥＰＤＭ等から形成されたシートを介在させ、例えば、マンション等では、床スラブの上に置き敷いて施工される。
【００２０】
図２は、図１におけるＸ−Ｘ線に沿う断面を示し、本願発明の第１実施形態に係る床暖房パネルの構造を示す縦断面図である。図２に示すように、上記床暖房パネルの構造においては、図外電源線に接続されるコネクター部３は、その底面に難燃性緩衝材１が貼着され、結線ボックス２内に収められている。上記コネクター部３にはホルダー４が付設され、このホルダー４から内部結線５を経由して通電されて面状発熱体６が発熱する。
【００２１】
枠体７によって区画される空間には、ロックウール、グラスウール、発泡ウレタン、発泡ポリスチレン、発泡ポリエチレン等の断熱材９１が充填され、面状発熱体６からの熱が床下に逃げることなく断熱的に保温されている。
【００２２】
上記難燃性緩衝材１としては、各種樹脂シート、例えば、ポリエチレン、ポリプロピレン、ポリエステル、ポリスチレン樹脂等をシート状に成形して難燃剤により難燃性を付与したもの、あるいは、各種の紙、フェルト等をシート状に成形して難燃剤により難燃性を付与したもの等が用いられる。あるいは、グラスウール、ロックウール等の不燃性材料そのものをシート状に加工して用いてもよい。
【００２３】
上記難燃性緩衝材１をコネクター部３の底面に貼着することにより、コネクター部３が結線ボックス２内で上下、左右に移動しても、例えば、床面上の歩行や床面への衝撃により、揺れたり、跳ね上がって落ちても、コネクター部３の裏面に貼着された難燃性緩衝材１が介在することによりクッション性を発揮し、結線ボックス２の底板との接触により、金属的な衝撃音が発生することを防ぐ。
【００２４】
図３は、上記と同じく、図１におけるＸ−Ｘ線に沿う断面を示し、本願発明の第２実施形態に係る床暖房パネルの構造を示し縦断面図である。上記第２実施形態に係る床暖房パネルの構造においては、上記結線ボックス２の底面全体に難燃性緩衝材１が貼着されている。上記難燃性緩衝材１としては、ポリエチレン、ポリプロピレン、ポリエステル樹脂等をシート状に成形して難燃剤により難燃性を付与したもの、あるいは、各種の紙、フェルト等をシート状に成形して難燃剤により難燃性を付与したもの等が用いられる。あるいは、グラスウール、ロックウール等の不燃性材料そのものをシート状に加工したものが用いられる。
【００２５】
このように、結線ボックス２の底面全体に上記難燃性緩衝材１が貼着されているため、結線ボックス２内でコネクター部３が随所に移動し、跳ね上がって落ちてもコネクター部の収まり位置の自由度が高く、難燃性緩衝材１がクッション性を発揮し、結線ボックス２の底板との接触により、金属的な衝撃音が発生することを防ぐ。
【００２６】
上記のようにして、上記結線ボックス２内において難燃性緩衝材１を介在させてコネクター部３を設け、結線ボックス２をカバー材で覆われた床暖房パネルＰは、通常、化粧合板等からなる床材９でフローリングされ、意匠性の優れたものとなる。
【００２７】
図４は、結線ボックス２を設けた枠体７の外側面両側を結線ボックスカバー２１でカバーしてフローリングされた床暖房パネルＰを示す外観斜視図である。
【００２８】
以上述べたように、本願発明の床暖房パネルＰを用いることにより、結線ボックス２内で、歩行時の荷重や物を落としたときの衝撃でコネクター部３が移動したり、跳ねることにより、耳障りな金属音が発生することを防ぎ、快適な床暖房効果を得ることができる。
【００２９】
なお、本実施形態においては、コネクター部３の裏面や結線ボックス２の底面に難燃性緩衝材１を貼着する形態について説明したが、コネクター部３の裏面に貼着するとともに、結線ボックス２の底面全体に貼着してもよい。また、上記難燃性緩衝材１を左右内面や天面に貼着してもよい。要するに、上記結線ボックス２内において難燃性緩衝材１を介在させ、上記コネクター部３と結線ボックス２との接触による衝撃音を制音すればよい。このように本願発明に係る床暖房パネルは設計変更自在であり、特許請求の範囲を逸脱しない限り、いずれの場合も本願発明の技術的範囲に属する。
【符号の説明】
【００３０】
Ｐ      本願発明に係る床暖房パネル
１      難燃性緩衝材
２      結線ボックス
２１    結線ボックスカバー
３      コネクター部
４      ホルダー
５      内部結線
６      面状発熱体
７      枠体
８      基板
９      床材
９１    断熱材
【図１】
2010255917.tif 000003
【図２】
2010255917.tif 000004
【図３】
2010255917.tif 000005
【図４】
2010255917.tif 000006